(57)【特許請求の範囲】
【請求項１】
歌詞データ、リファレンスデータ、及び楽曲構成に係る区間データを含む、カラオケ演奏のための楽曲データを処理するカラオケ装置であって、
前記区間データをもとに、最後に歌唱すべきサビに相当する第１区間と、第１区間以外のサビのいずれかに相当する第２区間とを特定する特定手段と、
前記第１区間に対応するリファレンスデータと前記第２区間に対応するリファレンスデータとを比較し、前記第２区間にはない所定時間以上の無歌唱区間が前記第１区間において存在するかどうかを判定する判定手段と、
前記歌詞データに基づいて表示部に歌詞表示を行い、且つ前記判定手段が前記第１区間において前記無歌唱区間が存在すると判定した場合、歌唱者に対して前記無歌唱区間の存在を報知する歌唱アシストアイコンを前記表示部に表示させる表示制御手段と、
を有することを特徴とするカラオケ装置。
【請求項２】
前記表示制御手段は、前記判定手段が前記第１区間において前記無歌唱区間が存在すると判定した場合、当該無歌唱区間に対応する前記歌詞表示の近傍に前記歌唱アシストアイコンを表示させることを特徴とする請求項１に記載のカラオケ装置。
【請求項３】
前記楽曲データは、歌唱すべき旋律に対応する音符データを有し、
前記表示制御手段は、前記音符データに基づいて前記表示部に歌唱ガイド情報を表示させ、且つ前記判定手段が前記第１区間において前記無歌唱区間が存在すると判定した場合、当該無歌唱区間に対応する前記歌唱ガイド情報の近傍に前記歌唱アシストアイコンを表示させることを特徴とする請求項１に記載のカラオケ装置。
【請求項４】
前記無歌唱区間の長さを算出する算出手段を有し、
前記表示制御手段は、前記歌唱アシストアイコンと併せて、算出された前記無歌唱区間の長さを表示することを特徴とする請求項１〜３のいずれか一つに記載のカラオケ装置。
【請求項５】
前記表示制御手段は、算出された前記無歌唱区間の長さを前記楽曲の進行に合わせてカウントダウン表示することを特徴とする請求項４記載のカラオケ装置。
【発明の詳細な説明】
【技術分野】
【０００１】
本発明はカラオケ装置に関する。
【０００２】
カラオケルームなどに設置されるカラオケ装置には、カラオケ演奏音を出力するだけでなく、利用者がカラオケ歌唱をより楽しむための様々な歌唱支援機能が備わっている。
【０００３】
歌唱支援機能の中で代表的なものは、ディスプレイへの歌詞表示である。現在では、カラオケ演奏の進行（楽曲の進行）に同期して歌詞表示色を変えることにより、歌唱すべきタイミングを歌唱者に報知する機能、つまり歌詞の色変え表示機能が普及している。
【０００４】
更に、歌詞表示だけでなく、歌唱支援機能に関する多くの技術が提案されている。たとえば特許文献１には、歌唱者の過去のフレーズ毎の採点情報をもとに、採点結果の悪いフレーズの区間においてはガイドメロディを強調する技術が開示されている。
【０００５】
また、特許文献２には、カラオケ端末で楽曲を再生する際に、当該楽曲の歌詞や歌唱音高を間違えやすい区間の情報をサーバから受信し、この情報に従ってその区間が近づいた事を報知したり、歌唱できない歌唱者に代わって代用歌唱の音声信号を生成、出力する技術が開示されている。
【０００６】
また、特許文献３には、特に無歌唱区間の後の歌い出し部分に着目した歌唱採点を行い、採点結果に応じた歌い出しのアシスト（クロック音やカウントダウン、アナウンス音声）を提供する技術が開示されている。
【先行技術文献】
【特許文献】
【０００７】
【特許文献１】特開２００５−０４９４１０号公報
【特許文献２】特開２００７−２５６６１７号公報
【特許文献３】特開２０１３−０５０６７０号公報
【０００８】
ところで、約２０万曲が用意されているカラオケ楽曲の中には、楽曲の１番や２番のサビと楽曲の最後に位置するサビ（大サビ）とで歌唱のタイミングの異なるものが多く存在する。これらは、大サビにタメを設けて楽曲をよりドラマチックに盛り上げるためのアレンジであるが、歌詞やメロディ自体は１番や２番と同じケースが多い。よって、歌唱者は１番や２番のサビと全く同じ流れで大サビを歌唱しようとして歌い出しのタイミングを誤ることが多い。具体的には、大サビに１番や２番のサビには無かったタメ（意図的にリズムを遅らせること。譜面における休符に相当する）がアレンジされている場合に、歌唱者はつい本来のタイミングより早く歌唱してしまいがちである。
【０００９】
このような大サビにタメがある楽曲の具体例としては以下の楽曲がある。ＫｉｎＫｉ  Ｋｉｄｓの楽曲「硝子の少年」の大サビの歌詞「照らし出す」は、「照らし」と「出す」の間に、１番や２番のサビには無かった２拍分のタメがある。Ｍｒ．Ｃｈｉｌｄｒｅｎの楽曲「足音〜Ｂｅ  Ｓｔｒｏｎｇ」の大サビの歌詞「孤独な夜が来たってこの足音を聞いてる」は、「孤独な夜が来たって」と「この足音を聞いてる」の間に、１番や２番のサビには無かった１小節分のタメがある。前田亘輝の楽曲「君だけのＴｏｍｏｒｒｏｗ」の大サビの歌詞「涙は流すもんじゃない」の入りは、１番や２番のサビと比較して１小節遅い。
【００１０】
このような課題に対し、特許文献１に記載の技術を用いる場合、歌唱者の過去のフレーズ毎の採点情報が必要であるため、採点履歴が無い場合や初めて歌唱する楽曲の場合には対応できないという欠点がある。特許文献３に記載の技術においても同様に歌唱採点情報を元にしなければならない。
【００１１】
また、特許文献２に記載の技術を用いる場合、大サビにタメを持つ楽曲に関し「間違えやすい区間」としての情報を予めサーバに記憶しておく必要があるためデータ量が膨大となる。また、大サビにタメのある楽曲では、歌唱者は正しいタイミングより早く歌唱してしまうため、特許文献２に示される代用歌唱は利用できない。
【００１２】
本発明の目的は、大サビにタメがある楽曲を歌唱する歌唱者に対し、当該タメに関する情報を視覚的に提示可能なカラオケ装置を提供することにある。
【発明の概要】
【課題を解決するための手段】
【００１３】
上記課題を解決するために、請求項１に係るカラオケ装置は、歌詞データ、リファレンスデータ、及び楽曲構成に係る区間データを含む、カラオケ演奏のための楽曲データを処理するカラオケ装置であって、前記区間データをもとに、最後に歌唱すべきサビに相当する第１区間と、第１区間以外のサビのいずれかに相当する第２区間とを特定する特定手段と、前記第１区間に対応するリファレンスデータと前記第２区間に対応するリファレンスデータとを比較し、前記第２区間にはない所定時間以上の無歌唱区間が前記第１区間において存在するかどうかを判定する判定手段と、前記歌詞データに基づいて表示部に歌詞表示を行い、且つ前記判定手段が前記第１区間において前記無歌唱区間が存在すると判定した場合、歌唱者に対して前記無歌唱区間の存在を報知する歌唱アシストアイコンを前記表示部に表示させる表示制御手段と、を有する。
【００１４】
このようなカラオケ装置によれば、歌唱アシストアイコンにより、大サビのタメに関する情報を歌唱者に視覚的に提示することができる。
【００１５】
また、上記課題を解決するために、請求項２に係るカラオケ装置は、請求項１記載のカラオケ装置であって、前記表示制御手段は、前記判定手段が前記第１区間において前記無歌唱区間が存在すると判定した場合、当該無歌唱区間に対応する前記歌詞表示の近傍に前記歌唱アシストアイコンを表示させる。
【００１６】
この場合、歌唱者が注視する歌詞表示の近傍に歌唱アシストアイコンが表示されるため、歌唱者は大サビのタメに関する情報をより把握し易くなる。
【００１７】
また、上記課題を解決するために、請求項３に係るカラオケ装置は、請求項１記載のカラオケ装置であって、前記楽曲データは、歌唱すべき旋律に対応する音符データを有し、前記表示制御手段は、前記音符データに基づいて前記表示部に歌唱ガイド情報を表示させ、且つ前記判定手段が前記第１区間において前記無歌唱区間が存在すると判定した場合、当該無歌唱区間に対応する前記歌唱ガイド情報の近傍に前記歌唱アシストアイコンを表示させる。
【００１８】
この場合、歌唱者が注視する歌唱ガイド情報の近傍に歌唱アシストアイコンが表示されるため、歌唱者は大サビのタメに関する情報をより把握し易くなる。
【００１９】
また、上記課題を解決するために、請求項４に係るカラオケ装置は、請求項１〜３のいずれか一つに記載のカラオケ装置であって、前記無歌唱区間の長さを算出する算出手段を有し、前記表示制御手段は、前記歌唱アシストアイコンと併せて、算出された前記無歌唱区間の長さを表示する。
【００２０】
この場合、タメの長さも併せて視覚的に提示されるため、歌唱者は、より正確な大サビのタメに関する情報を把握できる。
【００２１】
また、上記課題を解決するために、請求項５に係るカラオケ装置は、請求項４記載のカラオケ装置であって、前記表示制御手段は、算出された前記無歌唱区間の長さを前記楽曲の進行に合わせてカウントダウン表示する。
【００２２】
この場合、歌唱者はカウントダウンに合わせて大サビの歌唱タイミングを図ることができる。
【発明の効果】
【００２３】
本発明によれば、大サビにタメがある楽曲を歌唱する歌唱者に対し、当該タメに関する情報を視覚的に提示することができる。よって、歌唱者は、歌い出しタイミングを誤って早く歌い出してしまうといった歌唱ミスを減らすことができる。
【図面の簡単な説明】
【００２４】
【図１】実施形態に係るカラオケ装置の概略を示す図である。
【図２】実施形態に係るカラオケ本体のハードウェア構成例を示す図である。
【図３】実施形態に係る区間データを示す図である。
【図４】実施形態に係るカラオケ本体のソフトウェア構成例を示す図である。
【図５】実施形態に係る歌唱アシストアイコンの例を示す図である。
【図６】実施形態に係る歌唱アシストアイコンの例を示す図である。
【図７】実施形態に係る表示装置における表示例を示す図である。
【図８Ａ】実施形態に係る表示装置における表示例を示す図である。
【図８Ｂ】実施形態に係る表示装置における表示例を示す図である。
【図９】第１実施形態に係るカラオケ装置の処理を示すフローチャートである。
【発明を実施するための形態】
【００２５】
図１〜図９を参照して、実施形態に係るカラオケ装置１について説明する。
【００２６】
＝＝カラオケ装置＝＝
（ハードウェア構成）
カラオケ装置１は、カラオケ演奏及び歌唱者が歌唱を行うための装置である。図１に示すように、カラオケ装置１は、カラオケ本体１０、スピーカ２０、表示装置３０（表示部）、マイク４０、及びリモコン装置５０を備える。カラオケ装置１は、通信回線を介してサーバ（図示なし）と通信可能に接続される。
【００２７】
スピーカ２０はカラオケ本体１０からの放音信号に基づいて放音するための構成である。表示装置３０はカラオケ本体１０からの信号に基づいて映像や画像を画面に表示するための構成である。マイク４０は歌唱者の音声をアナログの音声信号に変換してカラオケ本体１０に入力するための構成である。リモコン装置５０は、カラオケ本体１０に対する各種操作をおこなうための装置である。歌唱者はリモコン装置５０を用いてカラオケ装置１の起動、楽曲の予約等を行うことができる。
【００２８】
カラオケ本体１０は、選択されたカラオケ楽曲の演奏制御、歌詞および背景映像の表示制御、マイク４０を通じて入力された音声信号の処理といった、カラオケ歌唱に関する各種の制御を行う。図２はカラオケ本体１０のハードウェア構成例を示す図である。カラオケ本体１０は、制御部１１、通信部１２、記憶部１３、音響処理部１４、及び操作部１５を備える。各構成はインターフェース（図示なし）を介してバスＢに接続されている。
【００２９】
制御部１１は、ＣＰＵ１１ａおよびメモリ１１ｂを備える。ＣＰＵ１１ａは、メモリ１１ｂに記憶された動作プログラムを実行することにより各種の制御機能を実現する。メモリ１１ｂは、ＣＰＵ１１ａに実行されるプログラムを記憶したり、プログラムの実行時に各種情報を一時的に記憶したりする記憶装置である。
【００３０】
通信部１２は、ルーター（図示なし）を介してカラオケ本体１０を通信回線に接続するためのインタフェースを提供する。
【００３１】
記憶部１３は、各種のデータを記憶する大容量の記憶装置であり、たとえばハードディスクドライブなどである。本実施形態において、記憶部１３は、楽曲データ記憶領域１３ａ、歌唱アシストアイコン記憶領域１３ｂ、映像データ記憶領域１３ｃを含む。
【００３２】
楽曲データ記憶領域１３ａは、複数の楽曲データを記憶する領域である。楽曲データは、カラオケ装置１によりカラオケ演奏を行うためのデータである。カラオケ装置１が楽曲データに基づいて楽曲を演奏することにより、歌唱者はカラオケの歌唱が可能となる。
【００３３】
楽曲データは、ＭＩＤＩデータ、歌詞データ、リファレンスデータ、音符データが含まれる。ＭＩＤＩデータは、電子楽器の音源を自動演奏させるための自動演奏データ（カラオケ演奏データ）であり、時系列のノート情報によって構成される。ノート情報は、例えば発音や消音のタイミング、キーの押圧力、音の高さ、再生ピッチ等を制御する各種の命令によって構成される。本実施形態に係るＭＩＤＩデータには、区間データが含まれている。
【００３４】
区間データは、楽曲構成に係るデータである。具体的には、図３に示すように、ある楽曲Ｘにおけるイントロ、Ａメロ、Ｂメロ、サビ（サビ１〜サビ３）、アウトロ等の区間を時系列に記憶したデータである。区間データは、楽曲毎に予め設定されている。区間データは、カラオケ演奏の進行（楽曲の進行）に沿って読み出される。従来技術においては、読み出された区間データに応じて、たとえば歌唱採点結果を区間毎に表示したり、照明装置の色調や輝度を制御したりすることができる。
【００３５】
歌詞データは、カラオケ楽曲における歌詞テロップを表示装置３０に表示させるための文字列データである。歌詞データは、楽曲毎に予め設定されている。
【００３６】
リファレンスデータは、利用者によるカラオケ歌唱を採点する際の基準となるデータであり、ヴォーカルの音高を表す時系列の音高情報によって構成されている。リファレンスデータは、楽曲データ（区間データ）と対応付けられている。すなわち、リファレンスデータは区間毎に設定されている。
【００３７】
音符データは、楽曲に合わせて歌唱すべき旋律（ガイドメロディ）を示すデータである。音符データは、楽曲毎に予め設定されている。
【００３８】
なお、本実施形態に係るカラオケ装置１において使用される楽曲データは、楽曲データ記憶領域１３ａに記憶されているものではなく、サーバ（図示なし）から直接取得したデータであってもよい。
【００３９】
歌唱アシストアイコン記憶領域１３ｂは、歌唱者に対して無歌唱区間の存在を報知するための歌唱アシストアイコンのデータを記憶する領域である。歌唱アシストアイコンの詳細については後述する。
【００４０】
映像データ記憶領域１３ｃは、カラオケ演奏時に表示装置３０に表示される背景画像等の映像データを記憶する領域である。
【００４１】
音響処理部１４は、制御部１１の制御に基づき、カラオケ楽曲に対する演奏の制御およびマイク４０を通じて入力された音声信号の処理を行う。音響処理部１４は、たとえばＭＩＤＩ音源、ミキサ、アンプ（いずれも図示なし）を含む。ＭＩＤＩ音源は、楽曲データに基づいて楽音信号を生成する。ミキサは、当該音楽信号およびマイク４０から出力される音声信号を適当な比率でミキシングしてアンプに出力する。アンプは、ミキサからのミキシング信号を増幅し、放音信号としてスピーカ２０へ出力する。これにより、スピーカ２０からは放音信号に基づくカラオケ演奏音およびマイク４０からの歌唱音声が放音される。
【００４２】
操作部１５は、パネルスイッチおよびリモコン受信回路などからなり、歌唱者によるカラオケ装置１のパネルスイッチあるいはリモコン装置５０の操作に応じて予約信号、中止信号などの操作信号を制御部３１ａに対して出力する。制御部１１は、操作部１５からの操作信号を検出し、対応する処理を実行する。
【００４３】
（ソフトウェア構成）
図４はカラオケ本体１０のソフトウェア構成例を示す図である。カラオケ本体１０は、特定手段１００、判定手段２００、算出手段３００、表示制御手段４００を備える。
【００４４】
特定手段１００、判定手段２００、算出手段３００、表示制御手段４００は、制御部１１のＣＰＵ１１ａがメモリ１１ｂに記憶されている動作プログラムを実行することにより実現される。
【００４５】
特定手段１００は、楽曲データ記憶領域１３ａに記憶されている区間データをもとに、最後に歌唱すべきサビに相当する第１区間と、第１区間以外のサビのいずれかに相当する第２区間とを特定する。
【００４６】
図３の例で説明すると、特定手段１００は、楽曲Ｘの区間データをもとに、最後に歌唱すべきサビ３を「第１区間」として特定し、サビ３以外のサビ１またはサビ２を「第２区間」として特定する。
【００４７】
判定手段２００は、第１区間に対応するリファレンスデータと第２区間に対応するリファレンスデータとを比較し、第２区間にはない所定時間以上の無歌唱区間が第１区間において存在するかどうかを判定する。
【００４８】
「無歌唱区間」とは、同じ歌詞データが設定された２つの区間について比較した場合に、その一方の区間のみに存在する歌唱を行わない区間（歌詞が設定されていない区間）をいう。このような歌唱を行わない区間は、タメが設定された区間に該当する。なお、無歌唱区間を判定するための所定時間は、閾値として予め設定されている。また、所定時間は、リモコン装置５０等を介して楽曲毎に変更することも可能である。
【００４９】
たとえば、判定手段２００は、サビ３に対応するリファレンスデータとサビ１に対応するリファレンスデータとを比較し、リファレンスデータが略同一かどうかを判定する。リファレンスデータに差異があると判定した場合、判定手段２００は、当該リファレンスデータの差異が所定時間以上であるかどうかを判断することにより、サビ３に無歌唱区間が存在するかどうかを判定する。
【００５０】
算出手段３００は、無歌唱区間の長さを算出する。上述の通り、無歌唱区間とはタメが設定された区間である。算出手段３００は、たとえば、リファレンスデータの差異を休符情報に変換し、無歌唱区間の長さ（すなわち、何拍分タメるかという情報）を求める。なお、算出手段３００は、本発明における必須の構成ではない。
【００５１】
具体例として、リファレンスデータには楽曲の先頭から微小区間（約１１ｍｓｅｃ）毎に歌唱すべき音高データ（ｃｅｎｔ）が記述されており、歌唱のない微小区間は０で埋まっている。判定手段２００は、第１区間と第２区間のリファレンスデータを先頭から比較し、第２区間にはリファレンスデータが存在するにもかかわらず第１区間ではリファレンスデータが０であるような微小区間をカウントし、そのような微小区間が所定時間続いた場合、これが第１区間における「無歌唱区間」であると判定する。算出手段３００は、さらに第１区間のリファレンスデータが０でなくなるまでカウントを続けることで、無歌唱区間の長さを算出する。
【００５２】
表示制御手段４００は、歌詞データに基づいて表示装置３０に歌詞表示（歌詞テロップの表示）を行う。表示制御手段４００は、歌詞テロップを背景画像に重ねた映像を表示させてもよい。
【００５３】
また、本実施形態に係る表示制御手段４００は、判定手段２００が第１区間において無歌唱区間が存在すると判定した場合、歌唱者に対して無歌唱区間の存在を報知する歌唱アシストアイコンを表示装置３０に表示させる。
【００５４】
歌唱アシストアイコンは、歌唱者に対して無歌唱区間の存在（タメに関する情報）を視覚的に報知するためのものである。上述の通り、歌唱アシストアイコンは、歌唱アシストアイコン記憶領域１３ｂに複数記憶されている。
【００５５】
歌唱アシストアイコンは、たとえば、図５に示すような静止画像データである。歌唱アシストアイコンは、「タメ」の存在、すなわち休符情報を報知するアイコンであるため、たとえば、休符をモチーフとしたアイコンで表示される。図５（ａ）は、四分休符をモチーフとしたアイコンであり、図５（ｂ）は、二分休符をモチーフとしたアイコンであり、図５（ｃ）は、全休符をモチーフとしたアイコンである。各アイコン内の数字はタメ（拍数）を示す。たとえば、図５（ｃ）のアイコンを見た歌唱者は、４拍のタメがあることを容易に理解できる。
【００５６】
表示制御手段４００は、算出手段３００で算出された無歌唱区間の長さ（拍数）をもとに、複数ある歌唱アシストアイコンの中から適切なアイコンを選択し、表示装置３０に表示させる。このように、表示制御手段４００は、歌唱アシストアイコンと併せて、算出手段３００で算出された無歌唱区間の長さ（拍数）を表示するこことができる。
【００５７】
一方、静止画像データとしては、図５（ｄ）や図５（ｅ）のように、イラストと文字を組み合わせたアイコンであってもよい。なお、図５（ｅ）のアイコンのように、拍数を示さない歌唱アシストアイコンを用いることも可能である。
【００５８】
或いは、歌唱アシストアイコンは、図６に示すような動画像データであってもよい。たとえば、図６（ａ）及び図６（ｂ）に示すように、１拍毎に１コマの静止画像が設定された歌唱アシストアイコンを用いることができる。表示制御手段４００は、これらの静止画像を楽曲の進行に合わせてアニメーションとして動画表示させることにより、算出された無歌唱区間の長さを楽曲の進行に合わせてカウントダウン表示することができる。たとえば、無歌唱区間の長さが１小節に相当するのであれば、表示制御手段４００は、楽曲の進行に合わせて１小節の間に１拍につき１ずつ（３から０まで）カウントダウン表示を行う。
【００５９】
ここで、表示装置３０における歌唱アシストアイコンの表示例について述べる。図７〜図８Ｂは、表示装置３０の表示画面を示す図である。図７〜図８Ｂでは、歌詞「孤独な夜が来たって」と「この足音を聞いてる」との間に無歌唱区間が存在する。
【００６０】
たとえば、表示制御手段４００は、判定手段２００が第１区間において無歌唱区間が存在すると判定した場合、当該無歌唱区間に対応する歌詞表示の近傍に歌唱アシストアイコンを表示させることができる。図７の例において、表示制御手段４００は、無歌唱区間に対応する、歌詞「この足音を聞いてる」の直前に歌唱アシストアイコンを表示させている。このように歌唱アシストアイコンを表示させることにより、歌詞をみながら歌唱する歌唱者はタメのある区間を容易に把握することができる。なお、歌唱アシストアイコンは歌詞「孤独な夜が来たって」の直後に表示させてもよい。
【００６１】
或いは、表示制御手段４００は、音符データに基づいて表示装置３０に歌唱ガイド情報及びカーソルを表示させることができる（図８Ａ及び図８Ｂ参照）。歌唱ガイド情報は、音符データに応じた音程バーを表示装置３０の表示画面に表示させることにより、歌唱者に対して楽曲のメロディを視覚的に提示するための情報である。カーソルは、楽曲の進行状況を視覚的に提示するためのアイコンであり、楽曲の進行に合わせて歌唱ガイド情報上を移動する。表示制御手段４００は、楽曲の進行に合わせ、歌唱済み区間と歌唱前区間で歌詞表示の色を異ならせて表示する（図８Ａ及び図８Ｂにおいて歌唱済み区間の歌詞は斜線で示す）。また、表示制御手段４００は、楽曲の進行に合わせ、歌唱済み区間と歌唱前区間とで音程バーの色を異ならせて表示する（図８Ａ及び図８Ｂにおいて歌唱済み区間の音程バーは斜線で示す）。
【００６２】
表示制御手段４００は、判定手段２００が第１区間において無歌唱区間が存在すると判定した場合、当該無歌唱区間を示す歌唱ガイド情報の近傍に歌唱アシストアイコンを表示させる。この例では、音程バーの表示のうち、無歌唱区間から歌唱区間（歌詞が設定されている区間）が始まる直前の位置に歌唱アシストアイコンが表示されている（図８Ａ参照）。そして、表示制御手段４００は、楽曲の進行に伴い、カーソルを歌唱ガイド情報上で移動させ、カーソルが無歌唱区間を通り過ぎた場合に歌唱アシストアイコンの表示を消去する（図８Ｂ参照）。
【００６３】
なお、図８Ａ等の例で、図６に示すような歌唱アシストアイコンを用いてカウントダウン表示をする場合、表示制御手段４００は無歌唱区間をカーソルが横切る間にカウントダウン表示の切り替え（静止画像の切り替え）を行う。
【００６４】
更に、表示制御手段４００は、判定手段２００が第１区間において無歌唱区間が存在すると判定した場合、カーソルの近傍に歌唱アシストアイコンを表示させ、カーソルの移動に伴って歌唱アシストアイコンを移動させることも可能である。この場合、歌唱者が注視するカーソルと併せて歌唱アシストアイコンが表示されることになるため、歌唱者は無歌唱区間をより把握し易くなる。
【００６５】
なお、歌唱アシストアイコンの表示は上記例に限られず、表示装置３０の表示画面上の任意の位置に表示させることができる。歌唱アシストアイコンの表示位置については、予めカラオケ装置１で設定されていてもよいし、歌唱者がリモコン装置５０を介して楽曲毎に指定することでもよい。
【００６６】
＝＝歌唱アシストアイコンの表示処理について＝＝
次に、図９を参照してカラオケ装置１における歌唱アシストアイコンの表示の具体例について述べる。図９は、カラオケ装置１における表示処理のフローチャートである。
【００６７】
ある歌唱者が、リモコン装置５０を介しカラオケ装置１に対して楽曲Ａ、楽曲Ｂの順で歌唱予約を行ったとする（楽曲の予約。ステップ１０）。
【００６８】
特定手段１００は、楽曲データ記憶領域１３ａから楽曲Ａに対応する楽曲データを読み出し、その中に含まれる区間データをもとに、最後に歌唱すべきサビに相当する第１区間と、第１区間以外のサビに相当する第２区間とを特定する（区間の特定。ステップ１１）。
【００６９】
判定手段２００は、第１区間に対応するリファレンスデータと第２区間に対応するリファレンスデータとを比較し、第２区間にはない所定時間以上の無歌唱区間が第１区間において存在するかどうかを判定する（無歌唱区間の判定。ステップ１２）。
【００７０】
判定手段２００が所定時間以上の無歌唱区間なしと判定した場合（ステップ１３でＮの場合）、表示制御手段４００は、歌詞のみの表示（または歌詞及び歌唱ガイド情報のみ表示）を行う（歌詞のみ表示。ステップ１４）。
【００７１】
楽曲Ａの歌唱が終了するとステップ１１に戻り、特定手段１００は、楽曲データ記憶領域１３ａから次に予約されている楽曲Ｂに対応する楽曲データを読み出し、その中に含まれる区間データをもとに、最後に歌唱すべきサビに相当する第１区間と、第１区間以外のサビに相当する第２区間とを特定する（区間の特定。ステップ１１）。
【００７２】
判定手段２００は、楽曲Ｂの第１区間に対応するリファレンスデータと第２区間に対応するリファレンスデータとを比較し、第２区間にはない所定時間以上の無歌唱区間が第１区間において存在するかどうかを判定する（無歌唱区間の判定。ステップ１２）。
【００７３】
判定手段２００が所定時間以上の無歌唱区間ありと判定した場合（ステップ１３でＹの場合）、表示制御手段４００は、歌詞表示（及び歌唱ガイド情報の表示）を行いつつ、大サビの区間が表示される際に、歌唱アシストアイコン記憶領域１３ｂから大サビの無歌唱区間に対応した歌唱アシストアイコンを読み出し、表示装置３０に表示させる（歌唱アシストアイコンの表示。ステップ１５）。
【００７４】
カラオケ装置１は、この一連の処理を予約される楽曲が無くなるまで繰り返し行う（ステップ１６でＮの場合）。
【００７５】
なお、この例では、楽曲Ａの歌唱が終わった後に楽曲Ｂの無歌唱区間の判定を行っているが、楽曲が予約された時点で予め無歌唱区間の判定を行ってもよい。
【００７６】
このように、本実施形態に係るカラオケ装置１によれば、１番や２番のサビには無かった大サビのタメに関する情報を歌唱者に視覚的に提示することができる。よって、歌唱者は、歌い出しのタイミングを誤って早く歌い出してしまう等の歌唱ミスを減らすことができる。
【００７７】
また、本実施形態に係るカラオケ装置１によれば、予約された楽曲毎に歌唱の都度、無歌唱区間の判定を行うため、無歌唱区間のデータを予め記憶しておく必要がない。また、どの程度の無歌唱区間を「タメがある」と判断するかを都度変えることができるため、歌唱者の好みに合わせた表示が可能となる。
【００７８】
また、歌唱アシストアイコンを動画表示させることにより、歌い出しのタイミングをより確実に把握することができる。
【００７９】
上記実施形態は、例として提示したものであり、発明の範囲を限定するものではない。また、上記の構成は、適宜組み合わせて実施することが可能であり、発明の要旨を逸脱しない範囲で、種々の省略、置き換え、変更を行うことができる。それらの実施形態やその変形は、発明の範囲や要旨に含まれると同様に、特許請求の範囲に記載された発明とその均等の範囲に含まれる。
【符号の説明】
【００８０】
１  カラオケ装置
１０  カラオケ本体
１１  制御部
１３  記憶部
１３ａ  楽曲データ記憶領域
１３ｂ  歌唱アシストアイコン記憶領域
１００  特定手段
２００  判定手段
３００  算出手段
４００  表示制御手段
【図１】
0006412793.tif 000002
【図２】
0006412793.tif 000003
【図３】
0006412793.tif 000004
【図４】
0006412793.tif 000005
【図５】
0006412793.tif 000006
【図６】
0006412793.tif 000007
【図７】
0006412793.tif 000008
【図８Ａ】
0006412793.tif 000009
【図８Ｂ】
0006412793.tif 000010
【図９】
0006412793.tif 000011